(57)【要約】【課題】電話端末において、発呼者に応答の時刻を通知する。【解決手段】応答可能時刻特定部１０７は、実行部１０３が実行しているアプリケーションの実行に区切りがつく時刻を予測し、当該時刻に基づいて、利用者が応答することができる時刻である応答可能時刻を特定する。そして、自動応答部１０８は、実行部１０３がアプリケーションを実行しているときに呼制御部１０１が呼を受け付けた場合に、当該呼に応答し、応答可能時刻特定部１０７が特定した応答可能時刻を発呼元に通知する。【選択図】図１
2014027596.tif 000002
【特許請求の範囲】
【請求項１】
自装置への呼を受け付ける呼制御部と、
アプリケーションを実行する実行部と、
前記実行部が実行しているアプリケーションの実行に区切りがつく区切り時刻を予測し、当該区切り時刻に基づいて、利用者が応答することができる時刻である応答可能時刻を特定する応答可能時刻特定部と、
前記実行部がアプリケーションを実行しているときに前記呼制御部が呼を受け付けた場合に、当該呼に応答し、前記応答可能時刻特定部が特定した応答可能時刻を発呼元に通知する自動応答部と
を備えることを特徴とする電話端末。
【請求項２】
前記応答可能時刻特定部が予測した区切り時刻に、呼制御部が受け付けた呼の情報を利用者に通知する備忘通知部を備えることを特徴とする請求項１に記載の電話端末。
【請求項３】
前記応答可能時刻特定部は、前記アプリケーションが再生しているコンテンツの残り再生時間に基づいて前記区切り時刻を予測する
ことを特徴とする請求項１または請求項２に記載の電話端末。
【請求項４】
前記応答可能時刻特定部は、前記アプリケーションの平均実行時間に基づいて前記区切り時刻を予測する
ことを特徴とする請求項１または請求項２に記載の電話端末。
【請求項５】
前記呼制御部が受け付けた呼に応答するか否かの入力を受け付ける応答選択部を備え、
前記自動応答部は、前記応答選択部が呼に応答しない旨の入力を受け付けた場合に、前記応答可能時刻特定部が特定した応答可能時刻を発呼元に通知する
ことを特徴とする請求項１から請求項４のいずれか１項に記載の電話端末。
【請求項６】
前記呼制御部が受け付けた呼に応答するか否かの入力を受け付ける応答選択部を備え、
前記自動応答部は、前記呼制御部が呼を受け付けてから所定の時間の間に前記応答選択部が入力を受け付けなかった場合に、前記応答可能時刻特定部が特定した応答可能時刻を発呼元に通知する
ことを特徴とする請求項１から請求項５の何れか１項に記載の電話端末。
【請求項７】
前記アプリケーションに関連付けて、前記実行部が当該アプリケーションを実行している場合に前記呼制御部が呼を受け付けたときの、着呼の通知の形態を記憶する通知形態記憶部と、
前記実行部がアプリケーションを実行している場合において前記呼制御部が呼を受け付けたときに、前記実行部が実行しているアプリケーションに関連付けられた通知の形態で、着呼を通知する着呼通知部と
を備えることを特徴とする請求項１から請求項６の何れか１項に記載の電話端末。
【請求項８】
電話端末を用いた呼応答方法であって、
自装置への呼を受け付ける過程と、
アプリケーションの実行に区切りがつく区切り時刻の予測に基づいて、利用者が応答することができる時刻である応答可能時刻を特定する過程と、
前記実行部がアプリケーションを実行しているときに呼を受け付けた場合に、当該呼に応答し、特定した応答可能時刻を発呼元に通知する過程と
を備えることを特徴とする呼応答方法。
【請求項９】
コンピュータを、
自装置への呼を受け付ける呼制御部、
アプリケーションを実行する実行部、
前記実行部が実行しているアプリケーションの実行に区切りがつく区切り時刻を予測し、当該時刻に基づいて、利用者が応答することができる時刻である応答可能時刻を特定する応答可能時刻特定部、
前記実行部がアプリケーションを実行しているときに前記呼制御部が呼を受け付けた場合に、当該呼に応答し、前記応答可能時刻特定部が特定した応答可能時刻を発呼元に通知する自動応答部
として機能させるためのプログラム。
【発明の詳細な説明】
【技術分野】
【０００１】
本発明は、アプリケーション機能を有する電話端末、当該電話端末の呼応答方法、及びプログラムに関する。
【背景技術】
【０００２】
電話端末の高性能化により、近年の電話端末は、通話機能のほかに、電子メール、スケジュール管理、ゲームなどの様々なアプリケーションソフトウェア（以下、単にアプリケーションという）を実行する機能を備えている。このような電話端末は、アプリケーションを実行しているときに呼を受け付けた場合、着呼音を発したり、振動したり、ダイアログを表示したりすることで、利用者に着呼を通知する。
【０００３】
しかしながら、利用者によっては、呼に対する応答よりアプリケーションの実行継続の優先度が高いことがあり、必ずしもアプリケーションの実行を中断して呼に応答するとは限らない。そのため、電話端末がアプリケーションを実行しているときの着呼の通知は、アプリケーションの邪魔にならないような表示やタイミングで行うことが好ましい。このような要望に対し、以下に示す技術が開示されている。
【０００４】
特許文献１には、家電情報機器における電子メール着信表示において、テレビやビデオの再生中において新しい電子メールの着信検出と同時に通知するという設定がなされている場合は、画面の一部に着呼通知を小さく表示することが記載されている。また、特許文献１には、家電情報機器における電子メール着信表示において、テレビやビデオの鑑賞の終了時に通知するという設定をした場合や、ビデオのチャプターの切れ目またはコマーシャルメッセージや空白を演出したときに通知するという設定をした場合には、視聴終了時や、チャプターの切り替わり、コマーシャルメッセージへの移行時などに着呼通知を表示することが記載されている。
特許文献２には、携帯情報端末におけるアプリケーションの操作中の電話の着信処理について、第１に通話、第２に掛け直し依頼の応答、第３に折り返し応答を音声で行うことの選択をユーザが行うことが記載されている。
特許文献３には、通信端末は、電話や電子メールが着信したとき、迅速かつ適切な着信応答動作を行うことを目的として、ユーザが通信端末を操作中は所定キー（オフフックキー）の押下のみで着信応答が行われるように設定され、操作中でない場合には任意のキーの押下により着信応答が行われるように設定されることが記載されている。
【先行技術文献】
【特許文献】
【０００５】
【特許文献１】特開２００１−１０１０９５号公報
【特許文献２】国際公開第２００６／０８００６８号
【特許文献３】特開２０１０−２５８６４７号公報
【発明の概要】
【発明が解決しようとする課題】
【０００６】
しかしながら、特許文献１または特許文献２の記載では、利用者の着信応答についての具体的な説明が欠けている。また、特許文献３では、特許文献２に示すように、掛け直し依頼の応答や折り返し応答を携帯情報端末が自動的に再生して送信しても、発呼者はいつ電話を掛け直せば応答してもらえるか、またはいつ電話が掛かってくるかの目処が立たないという問題があった。
【課題を解決するための手段】
【０００７】
本発明は上記の課題を解決するためになされたものであり、自装置への呼を受け付ける呼制御部と、アプリケーションを実行する実行部と、前記実行部が実行しているアプリケーションの実行に区切りがつく区切り時刻を予測し、当該区切り時刻に基づいて、利用者が応答することができる時刻である応答可能時刻を特定する応答可能時刻特定部と、前記実行部がアプリケーションを実行しているときに前記呼制御部が呼を受け付けた場合に、当該呼に応答し、前記応答可能時刻特定部が特定した応答可能時刻を発呼元に通知する自動応答部とを備えることを特徴とする電話端末である。
【０００８】
また、本発明は、前記応答可能時刻特定部が特定した区切り時刻に、呼制御部が受け付けた呼の情報を利用者に通知する備忘通知部を備えることを特徴とする。
【０００９】
また、本発明において前記応答可能時刻特定部は、前記アプリケーションが再生しているコンテンツの残り再生時間に基づいて前記区切り時刻を予測することを特徴とする。
【００１０】
また、本発明において前記応答可能時刻特定部は、前記アプリケーションの平均実行時間に基づいて前記区切り時刻を予測することを特徴とする。
【００１１】
また、本発明は、前記呼制御部が受け付けた呼に応答するか否かの入力を受け付ける応答選択部を備え、前記自動応答部は、前記応答選択部が呼に応答しない旨の入力を受け付けた場合に、前記応答可能時刻特定部が特定した応答可能時刻を発呼元に通知することを特徴とする。
【００１２】
また、本発明は、前記呼制御部が受け付けた呼に応答するか否かの入力を受け付ける応答選択部を備え、前記自動応答部は、前記呼制御部が呼を受け付けてから所定の時間の間に前記応答選択部が入力を受け付けなかった場合に、前記応答可能時刻特定部が特定した応答可能時刻を発呼元に通知することを特徴とする。
【００１３】
また、本発明は、前記アプリケーションに関連付けて、前記実行部が当該アプリケーションを実行している場合に前記呼制御部が呼を受け付けたときの、着呼の通知の形態を記憶する通知形態記憶部と、前記実行部がアプリケーションを実行している場合において前記呼制御部が呼を受け付けたときに、前記実行部が実行しているアプリケーションに関連付けられた通知の形態で、着呼を通知する着呼通知部とを備えることを特徴とする。
【００１４】
また、本発明は、電話端末を用いた呼応答方法であって、自装置への呼を受け付ける過程と、アプリケーションの実行に区切りがつく区切り時刻の予測に基づいて、利用者が応答することができる時刻である応答可能時刻を特定する過程と、前記実行部がアプリケーションを実行しているときに呼を受け付けた場合に、当該呼に応答し、特定した応答可能時刻を発呼元に通知する過程とを備えることを特徴とする。
【００１５】
また、本発明は、コンピュータを、自装置への呼を受け付ける呼制御部、アプリケーションを実行する実行部、前記実行部が実行しているアプリケーションの実行に区切りがつく区切り時刻を予測し、当該時刻に基づいて、利用者が応答することができる時刻である応答可能時刻を特定する応答可能時刻特定部、前記実行部がアプリケーションを実行しているときに前記呼制御部が呼を受け付けた場合に、当該呼に応答し、前記応答可能時刻特定部が特定した応答可能時刻を発呼元に通知する自動応答部として機能させるためのプログラムである。
【発明の効果】
【００１６】
本発明の実施形態に係る電話端末によれば、利用者が応答することができる時刻を特定し、当該時刻を発呼元に通知することで、発呼者に何時電話を掛け直せば応答できるか、または何時電話が掛かってくるかを通知することができるという効果を奏する。
【図面の簡単な説明】
【００１７】
【図１】本発明の一実施形態による電話端末の構成を示す概略ブロック図である。
【図２】設定記憶部が記憶する情報を示す図である。
【図３】未処理呼記憶部が記憶する情報を示す図である。
【図４】実行時間記憶部が記憶する情報を示す図である。
【図５】本発明の一実施形態による電話端末の着呼時の処理を示すフローチャートである。
【図６】本発明の一実施形態による電話端末の備忘通知処理を示すフローチャートである。
【発明を実施するための形態】
【００１８】
以下、図面を参照しながら本発明の実施形態について詳しく説明する。
図１は、本発明の一実施形態による電話端末１００の構成を示す概略ブロック図である。かかる電話端末１００には、コアネットワークを介して他の移動通信ネットワークや固定通信ネットワーク、インターネット等に接続する基地局との間で電波による無線通信を利用する携帯電話機や、インターネットとの親和性が高くＰＣ（Ｐｅｒｓｏｎａｌ  Ｃｏｍｐｕｔｅｒ）の機能をベースとして作られた多機能携帯電話・ＰＨＳであるスマートフォン等がある。
【００１９】
電話端末１００は、ディスプレイ２００、入力装置３００、及びＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）等のコンピュータシステムを備える。ディスプレイ２００としては、例えばＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）などを用いることができる。また、入力装置３００としては、例えばキーボードやタッチパッドなどを用いることができる。ここで、入力装置３００としてタッチパッドを用いる場合は、ＬＣＤなどのディスプレイ２００と組み合わせたタッチパネルを用いることもできる。
【００２０】
また、電話端末１００のコンピュータシステムが所定のプログラムを実行することで、電話端末１００は、呼制御部１０１、アプリケーション記憶部１０２、実行部１０３、着呼通知部１０４、設定記憶部１０５（通知形態記憶部）、応答選択部１０６、応答可能時刻特定部１０７、自動応答部１０８、備忘通知部１０９、未処理呼記憶部１１０、実行時間記録部１１１、実行時間記憶部１１２を備える。
【００２１】
呼制御部１０１は、他の電話端末１００から呼を受け付け（着呼）、または他の電話端末１００に呼を発する（発呼）。
アプリケーション記憶部１０２は、電話端末１００に実行させるアプリケーションを記憶する。
実行部１０３は、利用者の操作に応じてアプリケーション記憶部１０２が記憶するアプリケーションを呼び出して実行する。
着呼通知部１０４は、設定記憶部１０５が記憶する設定に従って着呼をディスプレイ２００に表示させること等により通知する。
設定記憶部１０５は、着呼の通知に関する設定情報を記憶する。
【００２２】
図２は、設定記憶部１０５が記憶する情報を示す図である。
設定記憶部１０５は、図２に示すように、一般設定テーブル（図２（Ａ））と、個別設定テーブル（図２（Ｂ））とを記憶する。
【００２３】
一般設定テーブルは、マージン時間、着呼通知表示の有無、及び着呼時間を格納する。マージン時間は、アプリケーションの実行に区切りがついてから電話を掛け直すために必要となる時間を示す。着呼通知表示の有無は、ディスプレイ２００に着呼通知を表示させるか否かを示す。着呼時間は、呼制御部１０１が呼を受け付けてから自動応答部１０８による応答を行うまでの時間である。例えば、マージン時間は５分であり、着呼通知表示は「あり」であり、着呼時間は１０秒である。
【００２４】
個別設定テーブルは、アプリケーションごとに、優先度、区切り時期、着呼通知表示位置を格納する。優先度は、実行部１０３が複数のアプリケーションを実行している場合における、アプリケーションの実行に区切りがつく時刻を予測する際の優先度を示す。区切り時期は、アプリケーションの実行に区切りがつくタイミングを示す情報である。区切り時期として設定できる値は、「即時」、任意の時間（５分など）、「平均実行時間」、「コンテンツの残り再生時間」である。コンテンツの残り再生時間としては、例えば、テレビ番組コンテンツの番組終了時、動画コンテンツのチャプター到達時、動画コンテンツの再生終了時、音楽コンテンツの一曲終了時、音楽コンテンツのアルバム全曲再生や、プログラム再生が一周したときなどが挙げられる。また、着呼通知表示位置は、着呼の通知を表示すべきディスプレイ２００上の位置（着呼の通知の形態）を示す。着呼通知表示位置としては、携帯端末のオペレーティングシステムにおいて規定されている「通知領域」や画面内の位置（「右下」や「左上」など）が挙げられる。
例えば、アプリケーションがテレビである場合、優先度は３であり、区切り時期は番組終了時であり、着呼通知表示位置は右下である。
【００２５】
応答選択部１０６は、呼制御部１０１が受け付けた呼に応答するか否かの入力を入力装置３００から受け付ける。
応答可能時刻特定部１０７は、実行部１０３が現在実行しているアプリケーションの実行に区切りがつく区切り時刻を予測する。また、応答可能時刻特定部１０７は、予測した区切り時刻に所定のマージン時間を加算することで、応答可能時刻を特定する。ここで、所定のマージン時間とは、設定記憶部１０５が記憶する一般設定テーブル（図２（Ａ））に格納されたマージン時間のことである。
【００２６】
自動応答部１０８は、呼制御部１０１が呼を受け付けてから所定の着呼時間の間に応答しない場合や、応答選択部１０６が応答可能時刻を指定して呼を保留する処理の選択を受け付けた場合に、呼に応答し、応答可能時刻特定部１０７が特定した応答可能時刻に電話を掛け直す旨、または当該時刻に電話を掛け直してほしい旨を、合成音声にて通知する。ここで、所定の着呼時間とは、設定記憶部１０５が記憶する一般設定テーブル（図２（Ａ））に格納された着呼時間のことである。
また、自動応答部１０８は、合成音声による通知を行った後、応答した呼の情報と、応答可能時刻特定部１０７が予測した区切り時刻と、応答可能時刻特定部１０７が特定した応答可能時刻とを、関連付けて未処理呼記憶部１１０に記録する。
【００２７】
備忘通知部１０９は、応答可能時刻特定部１０７が特定した区切り時刻に、未処理呼記憶部１１０が記憶する呼の情報を利用者に通知する。
【００２８】
未処理呼記憶部１１０は、自動応答部１０８が応答した呼の情報を記憶する。
図３は、未処理呼記憶部１１０が記憶する情報を示す図である。
未処理呼記憶部１１０は、発呼元の識別情報に関連付けて、着呼時刻、区切り時刻、応答可能時刻を記憶する。例えば、発呼元がＡさんのとき、着呼時間は２０１２年４月４日４時４４分４４秒であり、区切り時刻は２０１２年４月４日５時丁度であり、応答可能時刻は２０１２年４月４日５時５分である。
実行時間記録部１１１は、実行部１０３がアプリケーションを終了するたびに、当該アプリケーションの実行時間や実行回数を実行時間記憶部１１２に記録する。
【００２９】
図４は、実行時間記憶部１１２が記憶する情報を示す図である。
実行時間記憶部１１２は、アプリケーション記憶部１０２が記憶するアプリケーションごとに、当該アプリケーションの延べ実行時間、延べ実行回数及び最終実行時刻を記憶する。ここで、延べ実行時間及び延べ実行回数は、実行部１０３が過去にアプリケーションを実行した時間及び回数の総和を示す。また、最終実行時刻は、実行部１０３がアプリケーションを最後に実行開始した時刻を示す。
【００３０】
次に、本実施形態による電話端末１００の動作について説明する。
図５は、本発明の一実施形態による電話端末１００の着呼時の処理を示すフローチャートである。
外部装置が電話端末１００へ発呼すると、呼制御部１０１は当該呼を受け付ける（ステップＳ１）。次に、着呼通知部１０４及び応答可能時刻特定部１０７は、実行部１０３が実行しているプログラムのリストを取得し、設定記憶部１０５が記憶する個別設定テーブルから、それぞれのプログラムに関連付けられた設定情報（図２（Ｂ）の優先度、区切り時期、着呼通知表示位置）を取得する（ステップＳ２）。
【００３１】
次に、着呼通知部１０４は、取得した各プログラムの設定情報の中に区切り時期が「即時」でないものがあるか否かを判定する（ステップＳ３）。着呼通知部１０４は、取得した各プログラムの設定情報の中に区切り時期が「即時」でないものがあると判定すると（ステップＳ３：ＹＥＳ）、ディスプレイ２００のバックライトが点灯しているか否かを判定する（ステップＳ４）。なお、本実施形態の電話端末１００においてディスプレイ２００のバックライトは、動画コンテンツ等を再生している間、及び入力操作をしてから所定の時間の間は点灯する。なお、ディスプレイ２００として有機ＥＬを用いた場合、バックライトを備える必要が無いため、バックライトの判定に代えて、例えば電話端末１００のディスプレイ２００の照度を検出する光学センサ等の出力に基づいて電話端末１００の使用の有無を判定するようにしても良い。
【００３２】
着呼通知部１０４は、ステップＳ３で、取得した各プログラムの区切り時期がすべて「即時」であると判定した場合（ステップＳ３：ＮＯ）、またはステップＳ４でディスプレイ２００のバックライトが点灯していないと判定した場合（ステップＳ４：ＮＯ）、電話端末１００が使用中で無いと判定し、ディスプレイ２００の全画面に応答選択画面を表示する（ステップＳ５）。応答選択画面とは、「呼に応答」、「呼を保留」、「応答可能時刻を指定して呼を保留」のいずれかの選択を受け付けるボタンを表示した画面である。そして、応答選択部１０６は、当該呼に対する処理の選択を受け付ける。
【００３３】
他方、着呼通知部１０４は、各プログラムの区切り時期に「即時」のものがなく、かつディスプレイ２００のバックライトが点灯していると判定した場合（ステップＳ４：ＹＥＳ）、設定記憶部１０５が記憶する一般設定テーブル（図２（Ａ））の着呼通知表示が「あり」を示すか否かを判定する（ステップＳ６）。着呼通知部１０４は、着呼通知表示が「あり」である場合（ステップＳ６：ＹＥＳ）、電話端末１００が使用中であると判定し、ステップＳ２で取得した着呼通知表示位置のうち、フォアグラウンド（マルチタスク環境における手前にある画面）で動作しているアプリケーションに関連付けられた着呼通知表示位置に、着呼通知を表示する（ステップＳ７）。
【００３４】
着呼通知を表示した場合、または着呼通知表示が「なし」である場合（ステップＳ６：ＮＯ）、応答可能時刻特定部１０７は、ステップＳ２で取得した設定情報のうち、優先度が最も高い１以上のアプリケーションに関連付けられた区切り時期に基づいて、アプリケーションの実行に区切りがつく時刻である区切り時刻を予測する。そして、応答可能時刻特定部１０７は、算出した区切り時刻のうち現在時刻に最も近いものを、アプリケーションの区切り時刻として予測する（ステップＳ８）。
【００３５】
ここで、区切り時期が「即時」を示す場合、応答可能時刻特定部１０７は、現在時刻を区切り時刻とする。また、区切り時期が「５分」などの定数で示される場合、応答可能時刻特定部１０７は、実行時間記憶部１１２が記憶する最終実行時刻に当該定数を加算した時刻を区切り時刻とする。また、区切り時期が「平均実行時間」を示す場合、応答可能時刻特定部１０７は、実行時間記憶部１１２が記憶する延べ実行時間を述べ実行回数で除算することでアプリケーションの平均実行時間を算出し、実行時間記憶部１１２が記憶する最終実行時刻に当該平均実行時間を加算した時刻を区切り時刻とする。また、区切り時期が「番組終了時」や「チャプター到達時」などアプリケーションが実行するコンテンツに依存するものである場合、応答可能時刻特定部１０７は、番組表情報や、動画・音楽コンテンツ情報から区切り時刻を算出する。
【００３６】
次に、応答可能時刻特定部１０７は、予測した区切り時刻に、設定記憶部１０５が記憶する一般設定テーブルのマージン時間を加算し、分の単位の下一桁を切り上げた時刻を応答可能時刻として特定する（ステップＳ９）。応答可能時刻は後のステップＳ１３にて発呼者に通知される場合があり、発呼者が何時電話を掛けなおせば応答できるか、または何時電話が掛かってくるかなどを知ることができるが、下一桁を切り上げた値を用いることで、発呼者に時刻を理解させやすくすることができる。
【００３７】
ここで、応答選択部１０６は、着呼通知表示が選択されたか否かを判定する（ステップＳ１０）。応答選択部１０６が、選択を受け付けたと判定した場合（ステップＳ１０：ＹＥＳ）、着呼通知部１０４は、ディスプレイ２００に応答選択画面を表示し、応答選択部１０６は、呼に対する処理の選択を受け付ける（ステップＳ５）。また、アプリケーション記憶部１０２が記憶する電話アプリケーションの実行が選択された場合も、着呼通知部１０４は、ディスプレイ２００に応答選択画面を表示し、応答選択部１０６は、呼に対する処理の選択を受け付ける（ステップＳ５）。
【００３８】
他方、応答選択部１０６は、選択を受け付けていないと判定した場合（ステップＳ１０：ＮＯ）、現在時刻が応答可能時刻特定部が予測した区切り時刻を超えたか否かを判定する（ステップＳ１１）。現在時刻が区切り時刻を超えている場合（ステップＳ１１：ＹＥＳ）、着呼通知部１０４は、ディスプレイ２００に応答選択画面を表示し、応答選択部１０６は、呼に対する処理の選択を受け付ける（ステップＳ５）。これは、アプリケーションの実行に区切りがつき、ディスプレイ２００の全画面に応答選択画面を表示しても利用者にとって邪魔とならないためである。
【００３９】
他方、現在時刻が区切り時刻を超えていない場合（ステップＳ１１：ＮＯ）、呼制御部１０１は、呼を受け付けてから、設定記憶部１０５が記憶する一般設定テーブルの着呼時間が経過したか否かを判定する（ステップＳ１２）。着呼時間が経過していない場合（ステップＳ１２：ＮＯ）、呼制御部１０１は、ステップＳ１０に戻り、呼に対する処理の選択の有無の判定を継続する。
【００４０】
他方、着呼時間が経過した場合（ステップＳ１２：ＹＥＳ）、自動応答部１０８は、呼制御部１０１が受け付けた呼に応答し、応答可能時刻特定部１０７が特定した応答可能時刻に電話を掛け直す旨、または応答可能時刻に電話を掛け直してほしい旨の音声を再生する（ステップＳ１３）。そして、自動応答部１０８は、当該応答した呼の情報と、ステップＳ８で予測した区切り時刻と、ステップＳ９で算出した応答可能時刻とを、関連付けて未処理呼記憶部１１０に記録し（ステップＳ１４）、着呼時の処理を終了する。
【００４１】
なお、ステップＳ５において応答選択画面が表示され、応答選択部１０６が呼に対する処理の選択を受け付けた場合、応答選択部１０６は、選択された処理が「応答可能時刻を指定した保留」であるか否かを判定する（ステップＳ１５）。
【００４２】
応答選択部１０６は、応答可能時刻を指定した保留の選択を受け付けたと判定した場合（ステップＳ１５：ＹＥＳ）、自動応答部１０８は、呼制御部１０１が受け付けた呼に応答し、応答可能時刻に電話を掛け直す旨、または算出した時刻に電話を掛け直してほしい旨の音声を再生する（ステップＳ１３）。ここで、ステップＳ９において応答可能時刻特定部１０７が応答可能時刻を特定している場合には、自動応答部１０８は、当該応答可能時刻を示す音声を再生する。他方、応答可能時刻特定部１０７が応答可能時刻を特定していない場合、応答選択部１０６は、区切り時刻の入力を受け付ける。そして、応答可能時刻特定部１０７は、上述したステップＳ９と同様に、入力を受け付けた区切り時刻にマージン時間を加算し、分の単位の下一桁を切り上げた時刻を応答可能時刻とする。そして、自動応答部１０８は、当該算出した応答可能時刻を示す音声を再生する。
【００４３】
そして、自動応答部１０８は、当該応答した呼の情報と、ステップＳ８で予測した区切り時刻またはステップＳ１３で入力を受け付けた区切り時刻と、ステップＳ９またはステップＳ１３で特定した応答可能時刻とを、関連付けて未処理呼記憶部１１０に記録し（ステップＳ１４）、着呼時の処理を終了する。
【００４４】
他方、ステップＳ１５で応答選択部１０６が、「応答可能時刻を指定した保留」以外の選択、すなわち「呼に応答」または「呼を保留」の選択を受け付けたと判定した場合（ステップＳ１５：ＮＯ）、呼制御部１０１は、当該選択に従って呼に対する処理を実行し、着呼時の処理を終了する。
【００４５】
図６は、本発明の一実施形態による電話端末１００の備忘通知処理を示すフローチャートである。
未処理呼記憶部１１０が呼の情報を記憶している場合、電話端末１００は、発呼者へ電話を掛け直す必要があること、または電話が掛かってくる可能性があることを、利用者に通知する。
【００４６】
まず、備忘通知部１０９は、未処理呼記憶部１１０が記憶する呼の情報のうち、区切り時刻が現在時刻以前のものがあるか否かを判定する（ステップＳ１６）。備忘通知部１０９は、応答可能時刻が現在時刻以前のものがないと判定した場合（ステップＳ１６：ＮＯ）、着信備忘通知を行わずに処理を終了する。
【００４７】
備忘通知部１０９は、区切り時刻が現在時刻以前のものがあると判定した場合（ステップＳ１６：ＹＥＳ）、ディスプレイ２００に、着信備忘通知を表示する（ステップＳ１７）。着信備忘通知には、発呼者の名前、着呼が合った時刻、掛け直し予定の時刻が含まれる。また、当該着信備忘通知には、発呼元に呼を発するか、後で再度備忘通知をするよう設定するか、無視するかの何れかを選択するためのボタンが含まれる。
【００４８】
ここで、応答選択部１０６は、発呼元に呼を発するか、後で再度備忘通知をするよう設定するか、無視するかの何れかの選択を利用者から受け付ける（ステップＳ１８）。応答選択部１０６は、発呼元に呼を発する処理の選択を受け付けた場合（ステップＳ１８：発呼）、未処理呼記憶部１１０が当該呼に関連付けて記憶する情報を削除する（ステップＳ１９）。そして、呼制御部１０１は、着信備忘通知が示す発呼元に呼を発し（ステップＳ２０）、備忘通知処理を終了する。
【００４９】
また、応答選択部１０６は、再度着信備忘通知をする処理の選択を受け付けた場合（ステップＳ１８：備忘）、次に通知する時刻の入力を受け付け、未処理呼記憶部１１０が当該呼に関連付けて記憶する区切り時刻を、当該入力を受け付けた時刻に変更する（ステップＳ２１）。
【００５０】
また、応答選択部１０６は、着信備忘通知を無視する処理の選択を受け付けた場合（ステップＳ１８：無視）、未処理呼記憶部１１０が当該呼に関連付けて記憶する情報を削除する（ステップＳ２２）。
【００５１】
このように、本実施形態によれば、電話端末１００は、アプリケーションの実行により呼に応答できない場合に、アプリケーションの実行が終了する時刻を予測し、当該時刻を発呼者に通知する。これにより、発呼者は、いつ電話を掛け直せば応答してもらえるか、またはいつ電話が掛かってくるかの目処を立てることができる。
【００５２】
また、本実施形態によれば、電話端末１００は、発呼者に応答可能時刻を通知した場合、備忘通知部１０９は、呼制御部１０１が受け付けた呼の情報を利用者に通知する。これにより、電話端末１００は、発呼者に電話をかけるべきことを利用者に思い出させることができる。
【００５３】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、本実施形態では、アプリケーションごとの着呼の通知の形態として着呼通知表示位置を設定する場合について説明したが、これに限られず、着信音やバイブレーションの有無など、他の着呼の通知の形態を設定しても良い。
【００５４】
上述の電話端末１００は内部に、コンピュータを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５５】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５６】
１００…電話端末  １０１…呼制御部  １０２…アプリケーション記憶部  １０３…実行部  １０４…着呼通知部  １０５…設定記憶部  １０６…応答選択部  １０７…応答可能時刻特定部  １０８…自動応答部  １０９…備忘通知部  １１０…未処理呼記憶部  １１１…実行時間記録部  １１２…実行時間記憶部
【図１】
2014027596.tif 000003
【図２】
2014027596.tif 000004
【図３】
2014027596.tif 000005
【図４】
2014027596.tif 000006
【図５】
2014027596.tif 000007
【図６】
2014027596.tif 000008